(57)【要約】      （修正有）【課題】簡単な構成で足へのフィット性を向上させることができる靴を提供する。【解決手段】足挿入口１と、内装部２と外装部３とを有するアッパー４と、靴底５と、を有し、足甲上部６の外甲側に複数の第一挿通孔８を備え、内甲側に複数の第二挿通孔９を備え、外装部の外甲側において第一挿通孔の近傍位置に第一開口部１０を備え、内甲側において第二挿通孔の近傍位置に第二開口部１１を備え、アッパーの外甲側において外装部と内装部との間に帯状の第一部材１２を配置し、内甲側において外装部と内装部との間に帯状の第二部材１３を配置し、第一部材の基端部は靴底の足の踵に対応する位置に固着され、第一紐係合部１４を備えた先端部１２ｂが第一開口部から外側へ露出し、第二部材の基端部は靴底の足の踵に対応する位置に固着され、第二紐係合部１５を備えた先端部１３ｂが第二開口部から外側へ露出する。【選択図】図１
0003226897.tif 000002
【実用新案登録請求の範囲】
【請求項１】
足を挿入させるための足挿入口と、
足の表面に接する内装部と前記内装部を外側から覆う外装部とを有するアッパーと、
足を下方から支持する靴底と、を有し、
前記アッパーの足甲上部の外甲側に靴紐を通すための複数の第一挿通孔を備え、
前記アッパーの足甲上部の内甲側に靴紐を通すための複数の第二挿通孔を備え、
前記アッパーの前記外装部の外甲側において、前記第一挿通孔の近傍位置に第一開口部を備え、
前記アッパーの前記外装部の内甲側において、前記第二挿通孔の近傍位置に第二開口部を備え、
前記アッパーの外甲側において、前記外装部と前記内装部との間に帯状の第一部材を配置し、
前記アッパーの内甲側において、前記外装部と前記内装部との間に帯状の第二部材を配置し、
前記第一部材の基端部は前記靴底の足の踵に対応する位置に固着され、靴紐を係合させるための第一紐係合部を備えた先端部が前記第一開口部から外側へ露出し、
前記第二部材の基端部は前記靴底の足の踵に対応する位置に固着され、靴紐を係合させるための第二紐係合部を備えた先端部が前記第二開口部から外側へ露出していることを特徴とする靴。
【請求項２】
前記第一開口部は、前記複数の第一挿通孔のうち前記足挿入口に最も近い第一最上段孔の近傍に備えられ、
前記第二開口部は、前記複数の第二挿通孔のうち前記足挿入口に最も近い第二最上段孔の近傍に備えられる請求項１に記載の靴。
【請求項３】
前記第一部材及び前記第二部材が弾性変形可能である請求項１又は請求項２に記載の靴。
【考案の詳細な説明】
【技術分野】
【０００１】
本考案は、着用者の足へのフィット性を向上させることができる靴に関するものである。
【背景技術】
【０００２】
従来より、着用者の足へのフィット性を向上又は調整することができる靴の構造が各種提案されている。例えば、特許文献１は、締め付け度合いを調整できる係止手段を設けた締め付けバンドによって履口を締め付ける靴を開示している。
【先行技術文献】
【特許文献】
【０００３】
【特許文献１】特開２０１２−１１０６８７号公報
【考案の概要】
【考案が解決しようとする課題】
【０００４】
しかしながら、特許文献１の靴では、履口を締め付けることによって着用者の足首周りを靴に対して固定することはできても、運動の強度や靴下の厚さによっては、運動時に靴内部で踵が靴底から浮いてしまうおそれがある。
【０００５】
また、単に靴紐の締め付けを強くするだけでは、足の甲の周りの締め付けを強化することはできても、足の踵から甲にかけてのフィット性を向上させることはできない。
【０００６】
また、靴紐の締め付けを調整するため部材や足へのフィット性を向上させるための部材が多いほど靴の重量が増加し、着用者の足への負担が大きくなってしまう。
【０００７】
本考案は、上記事情に鑑みてなされたもので、簡単な構成で足へのフィット性を向上させることができる靴を提供することを課題とする。
【課題を解決するための手段】
【０００８】
前記の課題を解決するための請求項１に係る本考案は、足を挿入させるための足挿入口と、足の表面に接する内装部と内装部を外側から覆う外装部とを有するアッパーと、足を下方から支持する靴底と、を有し、アッパーの足甲上部の外甲側に靴紐を通すための複数の第一挿通孔を備え、アッパーの足甲上部の内甲側に靴紐を通すための複数の第二挿通孔を備え、アッパーの外装部の外甲側において、第一挿通孔の近傍位置に第一開口部を備え、アッパーの外装部の内甲側において、第二挿通孔の近傍位置に第二開口部を備え、アッパーの外甲側において、外装部と内装部との間に帯状の第一部材を配置し、アッパーの内甲側において、外装部と内装部との間に帯状の第二部材を配置し、第一部材の基端部は靴底の足の踵に対応する位置に固着され、靴紐を係合させるための第一紐係合部を備えた先端部が第一開口部から外側へ露出し、第二部材の基端部は靴底の足の踵に対応する位置に固着され、靴紐を係合させるための第二紐係合部を備えた先端部が第二開口部から外側へ露出している。
【０００９】
このような構成によれば、第一部材及び第二部材に設けられた第一紐係合部と第二紐係合部のそれぞれに、第一挿通孔及び第二挿通孔を通した紐靴を係合させることができる。ここで、第一部材及び第二部材はそれぞれの基端部が靴底の足の踵に対応する位置に固着されているため、靴紐を締め付けることによって第一紐係合部及び第二紐係合部を介して第一部材及び第二部材の全体に張力が加えられる。これにより、着用者の足の踵から足甲上部にかけて靴紐の締め付けによる緊締力が働き、着用者の足への靴のフィット性が向上する。
【００１０】
また、第一部材及び第二部材はアッパーの外装部と内装部との間に配置されているので、第一部材及び第二部材が着用者の足に直接接触することがない。これにより、運動時に着用者が不快感を感じることがない。さらに、第一部材及び第二部材は、先端部の第一紐係合部及び第二紐係合部以外は靴の外観に現れないので、靴のデザインを損なうこともない。
【００１１】
請求項２に係る本考案は、第一開口部が、複数の第一挿通孔のうち足挿入口に最も近い第一最上段孔の近傍に備えられ、第二開口部は、複数の第二挿通孔のうち足挿入口に最も近い第二最上段孔の近傍に備えられる。
【００１２】
このような構成によれば、第一部材及び第二部材のそれぞれの先端部が足挿入口により近い位置つまり着用者の足首に近い位置に露出する。これにより、第一紐係合部及び第二紐係合部に係合させた靴紐を締め付けることによって、第一部材及び第二部材を介して靴底の足の踵に対応する位置から着用者の足首付近に向けて緊締力が働き、着用者の足への靴のフィット性を強化することができる。
【００１３】
請求項３に係る本考案は、第一部材及び第二部材が弾性変形可能である。
【００１４】
このような構成によれば、第一部材及び第二部材の弾性力を利用して第一紐係合部及び第二紐係合部に係合させた靴紐の締め付け具合をより柔軟に調整することができる。
【考案の効果】
【００１５】
本考案の靴は、簡単な構成で足へのフィット性を向上させることができる。
【図面の簡単な説明】
【００１６】
【図１】本考案の実施形態に係る靴１００の平面図である。
【図２】本考案の実施形態に係る靴１００の外甲側側面の図である。
【図３】第一部材１２の配置状態を示した靴１００内部の概略側面図である。
【図４】第二部材１３の配置状態を示した靴１００内部の概略側面図である。
【図５】第一紐係合部１４に対する靴紐７の係合状態を示す部分拡大図である。
【図６】靴紐７を取り付けた状態の靴１００の平面図である。
【考案を実施するための形態】
【００１７】
以下、本考案の実施形態に関する靴１００について説明する。
【００１８】
図１は、本考案の実施形態に係る靴１００の平面図である。図２は、本考案の実施形態に係る靴１００の外甲側側面の図である。図３は、第一部材１２の配置状態を示した靴１００内部の概略側面図である。図４は、第二部材１３の配置状態を示した靴１００内部の概略側面図である。図５は、第一紐係合部１４に対する靴紐７の係合状態を示す部分拡大図である。
【００１９】
なお、以下の説明において、内甲側および外甲側とは靴１００の足幅方向の位置関係を表すものとする。
【００２０】
靴１００は、図１から図４に示すように、足を挿入させるための足挿入口１と、足の表面に接する内装部２と内装部２を外側から覆う外装部３とを有するアッパー４と、足を下方から支持する靴底５と、を有し、アッパー４の足甲上部６の外甲側に靴紐７を通すための複数の第一挿通孔８を備え、アッパー４の足甲上部６の内甲側に靴紐７を通すための複数の第二挿通孔９を備え、アッパー４の外装部３の外甲側において、第一挿通孔８の近傍位置に第一開口部１０を備え、アッパー４の外装部３の内甲側において、第二挿通孔９の近傍位置に第二開口部１１を備え、アッパー４の外甲側において、外装部３と内装部２との間に帯状の第一部材１２を配置し、アッパー４の内甲側において、外装部３と内装部２との間に帯状の第二部材１３を配置し、第一部材１２の基端部１２ａは靴底５の足の踵に対応する位置に固着され、靴紐７を係合させるための第一紐係合部１４を備えた先端部１２ｂが第一開口部１０から外側へ露出し、第二部材１３の基端部１３ａは靴底５の足の踵に対応する位置に固着され、靴紐７を係合させるための第二紐係合部１５を備えた先端部１３ｂが第二開口部１１から外側へ露出している。
【００２１】
足挿入口１は、着用者が足を出し入れするための履口であり、靴１００全体のサイズに応じて後述するアッパー４によって大きさが適宜変更される。
【００２２】
アッパー４は、着用者の足の甲を包むとともに足挿入口１を形成し、靴紐７によって締め付けられる。アッパー４は、足挿入口１を形成する端縁部とは別の他方の端縁部が、後述するミッドソール５ｂの周縁全体に縫着されることにより一体的に固着されている。
【００２３】
内装部２は、着用者の足の上面、側面、及び背面に直接接する。内装部２はメッシュ状の素材又は織布などの伸び易い素材で形成される。
【００２４】
外装部３は、周縁部が内装部２と縫着又は接着されており、内装部２と一体となってアッパー４を構成する。外装部３は、天然繊維、合成繊維、又は合成皮革などの素材によって形成される。
【００２５】
靴底５は、着用者の足の着地の衝撃を吸収するためのものであり、アウトソール５ａ及びミッドソール５ｂを備える。なお、図示は省略するが、通常、ミッドソール５ｂの上面つまり着用者の足裏に対応する面には、中敷きが敷かれる。
【００２６】
アウトソール５ａは、高硬度の硬質弾性部材で形成されており、例えばエチレン−酢酸ビニル共重合体（ＥＶＡ）等の熱可塑性樹脂、ポリウレタン（ＰＵ）等の熱硬化性樹脂、又はブタジエンラバーやクロロプレンラバー等のラバー素材が使用される。ミッドソール５ｂは、軟質の弾性材で形成されており、例えばエチレン−酢酸ビニル共重合体（ＥＶＡ）等の熱可塑性合成樹脂やその発泡体、ポリウレタン（ＰＵ）等の熱硬化性樹脂やその発泡体、又はブタジエンラバーやクロロプレンラバー等のラバー素材やその発泡体などが使用される。
【００２７】
アッパー４の足甲上部６の外甲側には、厚み方向に貫通する複数の第一挿通孔８が形成されている。ここで、足甲上部６とは、着用者の足の甲の上面に対応する領域のことを示し、一点を指すものではない（図１参照）。
【００２８】
複数の第一挿通孔８は、靴１００のつま先の方向に略一直線上に形成されている。同様に、アッパー４の足甲上部６の内甲側には、厚み方向に貫通する複数の第二挿通孔９が靴１００のつま先の方向に略一直線上に形成されている。複数の第一挿通孔８と複数の第二挿通孔９とは対をなしており、靴紐７の両端をそれぞれの孔に挿通させることによってアッパー４の締め付けを行う。
【００２９】
第一開口部１０は、図２に示すように、外装部３を厚み方向に貫通する孔であり、第一部材１２の先端部１２ｂの幅とほぼ同じ幅となるよう形成されている。また、第一開口部１０は、第一挿通孔８の近傍位置に備えられている。これにより、第一部材１２の先端部１２ｂを第一開口部１０から外側へ露出させたときに、第一紐係合部１４が第一挿通孔８の近傍に配置されることになる。そのため、第一挿通孔８を通した靴紐７を第一紐係合部１４に係合させ易くすることができる。
【００３０】
第二開口部１１は、外装部３を厚み方向に貫通する孔であり、第二部材１３の先端部１３ｂの幅とほぼ同じ幅となるよう形成されている。そして、第二開口部１１も第一開口部１０と同様に第二挿通孔９の近傍位置に備えられており、靴１００のつま先方向を軸として第一開口部１０と略線対称となるよう形成されている。
【００３１】
第一部材１２及び第二部材１３は、それぞれ靴紐７を締め付けることによって着用者の足の踵から足甲上部６にかけて緊締力を働かせるための帯状の部材である。なお、第一部材１２及び第二部材１３は同じ構成をしているので、以下、第一部材１２を中心に説明し、第二部材１３の構成については省略することがある。
【００３２】
第一部材１２は、先端部１２ｂに備えられた第一紐係合部１４に係合させた靴紐７の締め付けに耐える程度の強度の素材からなり、例えば軟質の生地で形成される。図３に示すように、第一部材１２は、基端部１２ａから先端部１２ｂまでの長さが、基端部１２ａを靴底５の足の踵に対応する位置に固定したときに先端部１２ｂが第一開口部１０から露出する程度の長さに形成されている。基端部１２ａから先端部１２ｂまでの長さが長すぎてしまうと、靴紐７の締め付けによる着用者の足への緊締力が働きにくくなるため、基端部１２ａから先端部１２ｂまでの長さは、先端部１２ｂが第一開口部１０から露出さえすればいい程度の長さであることが望ましい。
【００３３】
なお、ここで示す靴底５の足の踵に対応する位置とは、着用者が靴１００を履いたときに着用者の足の踵に対応する靴底５の外甲側の位置をいう。第二部材１３においては、着用者が靴１００を履いたときに着用者の足の踵に対応する靴底５の内甲側の位置が、靴底５の足の踵に対応する位置に該当する。
【００３４】
また、第一部材１２は、図３に示すように、アッパー４の外甲側において外装部３と内装部２との間に配置されており、基端部１２ａが靴底５のミッドソール５ｂ上面に対して縫合又は所定の接着剤等によって面接着される。第二部材１３も同様に、アッパー４の内甲側において外装部３と内装部２との間に配置されており、基端部１３ａが靴底５のミッドソール５ｂ上面に対して縫合又は所定の接着剤等によって面接着される（図４参照）。
【００３５】
第一紐係合部１４及び第一紐係合部１５は、靴紐７を係合させて第一部材１２及び第二部材１３に張力をかけるための部材である。第一紐係合部１４及び第一紐係合部１５は、軽量の硬質材料からなり、例えば、アルミニウムなどの軽金属合金又はプラスチックなどが用いられる。本実施形態では、第一紐係合部１４及び第一紐係合部１５を、平面視の外形が略長方形の環状形状に形成しており、靴紐７を環状空隙に通して係合させる（図５参照）。ただし、第一紐係合部１４及び第一紐係合部１５の形状はこれに限られるものではなく、靴紐７を係合させることができる形状であれば適宜変更が可能である。
【００３６】
このような構成によれば、第一部材１２及び第二部材１３に設けられた第一紐係合部１４と第二紐係合部１５のそれぞれに、第一挿通孔８及び第二挿通孔９を通した紐靴７を係合させることができる。ここで、第一部材１２及び第二部材１３はそれぞれの基端部１２ａ、基端部１３ａが靴底５の足の踵に対応する位置に固着されているため、靴紐７を締め付けることによって第一紐係合部１４及び第二紐係合部１５を介して第一部材１２及び第二部材１３の全体に張力が加えられる。これにより、着用者の足の踵から足甲上部６にかけて靴紐７の締め付けによる緊締力が働き、着用者の足への靴１００のフィット性が向上する。
【００３７】
また、第一部材１２及び第二部材１３はアッパー４の外装部３と内装部２との間に配置されているので、第一部材１２及び第二部材１３が着用者の足に直接接触することがない。これにより、運動時に着用者が不快感を感じることがない。さらに、第一部材１２及び第二部材１３は、先端部１２ｂ、先端部１３ｂの第一紐係合部１４及び第二紐係合部１５以外は靴１００の外観に現れないので、靴１００のデザインを損なうこともない。
【００３８】
なお、本実施形態では、図２に示すように、第一開口部１０を複数の第一挿通孔８のうち足挿入口１に最も近い第一最上段孔８ａの近傍に備え、第二開口部１１を複数の第二挿通孔９のうち足挿入口１に最も近い第二最上段孔９ａの近傍に備える。
【００３９】
このような構成によれば、第一部材１２及び第二部材１３のそれぞれの先端部１２ｂ、先端部１３ｂが足挿入口１により近い位置つまり着用者の足首に近い位置に露出する。これにより、第一紐係合部１４及び第二紐係合部１５に係合させた靴紐７を締め付けることによって、第一部材１２及び第二部材１３を介して靴底５の足の踵に対応する位置から着用者の足首付近に向けて緊締力が働き、着用者の足への靴１００のフィット性を強化することができる。
【００４０】
次に、靴１００の靴紐７による締め付けの調整方法について説明する。図６は、靴紐７を取り付けた状態の靴１００の平面図である。
【００４１】
まず、着用者は足挿入口１から足を挿入させて靴１００を着用する。次に、靴紐７の両端を、第一最上段孔８ａ及び第二最上段孔９ａに達するまで第一挿通孔８及び第二挿通孔９に順番に通していく。そして、図６に示すように、靴紐７の両端をそれぞれ第一紐係合部１４及び第二紐係合部１５の空隙に通して係合させて適度な締め付けを行う。これにより、着用者の足へ靴１００をフィットさせることができる。
【００４２】
なお、靴紐７は必ずしも第一最上段孔８ａ及び第二最上段孔９ａに達するまで第一挿通孔８及び第二挿通孔９に通さないといけないわけではなく、第一最上段孔８ａ及び第二最上段孔９ａに達する前に第一紐係合部１４及び第二紐係合部１５に係合させてもよい。つまり、着用者は運動時の状況に応じて、靴紐７の締め付け方を適宜選択することができる。
【００４３】
以上、本考案の靴１００を上記の実施形態に基づいて説明したが、本考案は上記の実施形態に限定されるものではなく、その要旨を逸脱しない範囲で種々の態様において実施することが可能である。
【００４４】
例えば、本実施形態では、第一部材１２及び第二部材１３を、軟質の生地を例として靴紐７の締め付けに耐える程度の強度の素材からなる場合について説明したが、弾性変更可能な素材からなるよう形成してもよい。
【００４５】
このような構成により、靴紐７を締め付けることによって第一紐係合部１４及び第二紐係合部１５を介して第一部材１２及び第二部材１３の全体に張力がかかり、第一部材１２及び第二部材１３が張力方向に弾性変形する。そのため、着用者は、第一部材１２及び第二部材１３の弾性変形を利用して、靴紐７の締め付け具合をより柔軟に調整することができる。
【符号の説明】
【００４６】
１…足挿入口
２…内装部
３…外装部
４…アッパー
５…靴底
５ａ…アウトソール
５ｂ…ミッドソール
６…足甲上部
７…靴紐
８…第一挿通孔
８ａ…第一最上段孔
９…第二挿通孔
９ａ…第二最上段孔
１０…第一開口部
１１…第二開口部
１２…第一部材
１２ａ…基端部
１２ｂ…先端部
１３…第二部材
１３ａ…基端部
１３ｂ…先端部
１４…第一紐係合部
１５…第二紐係合部
１００…靴
【図１】
0003226897.tif 000003
【図２】
0003226897.tif 000004
【図３】
0003226897.tif 000005
【図４】
0003226897.tif 000006
【図５】
0003226897.tif 000007
【図６】
0003226897.tif 000008